(57)【要約】      （修正有）【課題】水素水を製造可能なポットを提供する。【解決手段】ポットは、注水空間１１及び給電空間１２を有し、内部には注水空間１１及び給電空間１２を分け隔てるための障壁１３を有し、給電空間１２は第一給電空間１２１及び第二給電空間１２２で構成され、障壁１３には第二給電空間１２２が成形され、障壁１３にはフィルター穴１３１が開設され、フィルター穴１３１は第二給電空間１２２及び注水空間１１に連通される台座１０と、第二給電空間１２２内に装設される第一電解板２１、フィルタフィルム２２及び第二電解板２３を有する電解ユニット２０と、第二給電空間１２２内に装設され、第一電解板２１の通電棒２４及び第二電解板２３の通電棒２４に電気的に接続される給電ユニット３０とを備える。【選択図】図４
0003212271.tif 000002
【実用新案登録請求の範囲】
【請求項１】
注水空間及び給電空間を有し、内部には前記注水空間及び前記給電空間を分け隔てるための障壁を有し、前記給電空間は第一給電空間及び第二給電空間で構成され、前記障壁には前記第二給電空間が成形され、前記障壁にはフィルター穴が開設され、前記フィルター穴は前記第二給電空間及び前記注水空間に連通される台座と、
前記第二給電空間内に装設される第一電解板と、フィルタフィルムと、第二電解板とを有し、前記第一電解板及び前記第二電解板からは通電棒が前記第二給電空間内までそれぞれ延伸される電解ユニットと、
前記第二給電空間内に装設され、且つ前記第一電解板の前記通電棒及び前記第二電解板の前記通電棒に電気的に接続される給電ユニットとを備えることを特徴とする、
水素水を製造可能なポット。
【請求項２】
前記フィルタフィルムにより前記第二給電空間が第一空間及び第二空間に分け隔てられ、且つ前記フィルタフィルムは不透水性であり、前記第一空間は前記フィルター穴に連通され、前記第一電解板は前記第一空間内に納置され、前記第二電解板は前記第二空間内に納置されることを特徴とする、請求項１に記載の水素水を製造可能なポット。
【請求項３】
前記注水空間が前記給電空間に接続される方向を延出方向とし、前記障壁が前記延出方向に沿って前記注水空間に向けて包囲させることにより前記第二給電空間が成形され、前記障壁には複数の前記フィルター穴が穿設され、カバーにより前記第二給電空間が閉鎖され、且つ連通管が前記カバーを貫通させ、前記連通管は前記第二給電空間及び前記第一給電空間に連通され、前記台座には前記第一給電空間及び前記台座の外部に連通される排気孔が穿設されることを特徴とする、請求項１に記載の水素水を製造可能なポット。
【請求項４】
前記第一電解板にある通電棒は前記フィルタフィルム、前記第二電解板及び前記カバーに貫設され、前記第二電解板にある通電棒は前記カバーに貫設され、排気パイプが前記連通管及び前記排気孔に連結されることにより前記第二空間が前記台座の外部に連通されることを特徴とする、請求項３に記載の水素水を製造可能なポット。
【請求項５】
前記注水空間にはポット壁が装設され、前記ポット壁には貯水空間が画定され、前記貯水空間は水を充填させるために用いられると共に前記第二給電空間に連通されることを特徴とする、請求項１に記載の水素水を製造可能なポット。
【請求項６】
前記給電ユニットは第一給電板及び第二給電板を有し、前記第一給電板は充電部及び送電部を有し、前記充電部は外部電源の受電に用いられ、前記第二給電板は受電部及び２つの孔部を有し、前記受電部は前記送電部に電気的に接続され、前記送電部は前記第一給電板の電力を前記受電部に送電させるために用いられ、前記受電部により電力が前記孔部に導電され、前記２つの孔部は前記第一電解板及び前記第二電解板の通電棒にそれぞれ電気的に接続され、且つ電力が各前記通電棒から前記第一電解板及び前記第二電解板に導電されることを特徴とする、請求項１に記載の水素水を製造可能なポット。
【請求項７】
前記充電部はＵＳＢ充電ポートであることを特徴とする、請求項６に記載の水素水を製造可能なポット。
【考案の詳細な説明】
【技術分野】
【０００１】
本考案は、ポットに関し、より詳しくは、水素水を製造可能なポットに関する。
【背景技術】
【０００２】
水素水は市場では富水素水とも呼ばれている。水素水は高濃度の水素イオンを含有するため、長年良好な抗酸化物と見做されている。また、水素水は弱アルカリ性、電気陰性、分子が小さい等の特性を更に有し、健康に有益な飲用水と見られている。
【０００３】
市場には自宅で水素水を製造可能にするための水素水生成装置が存在する。これは台座５０と、容器６０と、電解ユニット７０と、上蓋８０とを備える（図１参照）。
台座５０は凹部５１と、制御パネル５２と、凹部５１に隣接すると共に凹部５１に装設される導電端５３とを有し、制御パネル５２は導電端５３と外部電源との間の導通または電断の制御に用いられる。容器６０は台座５０の凹部５１に内設されると共に開口部６１を有する。電解ユニット７０は容器６０の底部に装設されると共に導電端５３に分離可能に接触する。上蓋８０は開口部６１に分離可能な形態で蓋をする。
【０００４】
使用においては、容器６０内に液体の水を充填させた後、制御パネル５２を操作して導電端５３を外部電源に導通させる。導電端５３を電解ユニット７０の電解容器６０内の液体の水に接触させると、一定時間経過すると高濃度の水素イオンを含有する水が獲得できる。
【考案の概要】
【考案が解決しようとする課題】
【０００５】
しかしながら、このような水素水生成装置は体積が大きく、携帯するのに不便であった。水素水を携帯して飲用する場合、容器６０内から水素水を取り出して容器に入れることで携帯可能になる。外で飲み終わった後は家に帰ってから水素水生成装置で再び水素水を製造すれば再び水素水を飲めるようになるが、これでは非常に不便であり、時間もかかる。また、水素水生成装置で水素水を製造する場合には外部電源が必須であるため、携帯することは余計に難しかった。
【０００６】
そこで、本考案者は上記の欠点が改善可能と考え、鋭意検討を重ねた結果、合理的設計で上記の課題を効果的に改善する本考案の提案に到った。
【０００７】
かかる従来の実情に鑑みて、本考案は、水素水を製造可能なポットを提供することを目的とする。本考案によれば、使用者が水素水製造装置を携帯可能にし、使用者がいつでも水素水を補充できるようにする。
【課題を解決するための手段】
【０００８】
上述した課題を解決し、上記目的を達成するための、本考案に係る水素水を製造可能なポットの特徴は、注水空間及び給電空間を有し、内部には注水空間及び給電空間を分け隔てるための障壁を有し、給電空間は第一給電空間及び第二給電空間で構成され、障壁には第二給電空間が成形され、障壁にはフィルター穴が開設され、フィルター穴は第二給電空間及び注水空間に連通される台座と、第二給電空間内に装設される第一電解板と、フィルタフィルムと、第二電解板とを有し、第一電解板及び第二電解板からは通電棒が第二給電空間内までそれぞれ延伸される電解ユニットと、第二給電空間内に装設され、第一電解板の通電棒及び第二電解板の通電棒に電気的に接続される給電ユニットとを備える。
【０００９】
ある好ましい実施形態において、フィルタフィルムにより第二給電空間が第一空間及び第二空間に分け隔てられる。フィルタフィルムは不透水性であり、第一空間はフィルター穴に連通される。第一電解板は第一空間内に納置され、第二電解板は第二空間内に納置される。
【００１０】
ある好ましい実施形態において、第一電解板にある通電棒はフィルタフィルム、第二電解板及びカバーに貫設され、第二電解板にある通電棒はカバーに貫設される。排気パイプが連通管及び排気孔に連結されることにより第二空間が台座の外部に連通される。
【００１１】
ある好ましい実施形態において、注水空間が給電空間に接続される方向を延出方向とし、障壁が延出方向に沿って注水空間に向けて包囲させることにより第二給電空間が成形される。障壁には複数のフィルター穴が穿設され、カバーにより前記第二給電空間が閉鎖され、且つ連通管はカバーを貫通させると共に第二給電空間及び第一給電空間に連通される。台座には第一給電空間及び台座外部に連通される排気孔が穿設される。
【００１２】
ある好ましい実施形態において、注水空間にはポット壁が装設され、ポット壁には貯水空間が画定される。貯水空間は水を充填させるために用いられると共に第二給電空間に連通される。
【００１３】
ある好ましい実施形態において、水素水を製造可能なポットは、給電ユニットが第一給電板及び第二給電板を有し、第一給電板は充電部及び送電部を有し、充電部は外部電源の受電に用いられる。第二給電板は受電部及び２つの孔部を有し、受電部は送電部に電気的に接続され、送電部は第一給電板の電力を受電部に送電させるために用いられる。受電部により電力が孔部に導電され、２つの孔部は第一電解板及び第二電解板にある通電棒にそれぞれ電気的に接続され、且つ電力が各通電棒から第一電解板及び第二電解板に導電される。
【００１４】
ある好ましい実施形態において、充電部はＵＳＢ充電ポートである。
【考案の効果】
【００１５】
使用者は先ず外部電源を使用して第一給電板の充電を行い、第一給電板に蓄電された電力により水の電解を行う。使用者が本考案の水素水を製造可能なポットを携帯して外出する場合、液体の水を充填させるのみで水素水を製造可能である。
また、本考案は給電ユニットにより電力が供給されるため、別途外部電源に接続させる必要が無い。給電ユニットの電力が消耗した場合は、充電部により電力を補充すれば電力供給が正常に回復する。
【図面の簡単な説明】
【００１６】
【図１】従来の水素水を製造可能なポットを示す外観斜視図である。
【図２】本考案の好ましい実施形態に係る水素水を製造可能なポットを示す外観斜視図である。
【図３】本考案の好ましい実施形態に係る水素水を製造可能なポットを示す分解図である。
【図４】本考案の好ましい実施形態に係る水素水を製造可能なポットを示す使用状態図である。
【図５】本考案の好ましい実施形態に係る水素水を製造可能なポットを示す使用状態図である。
【考案を実施するための形態】
【００１７】
以下、図面を参照して本考案に係る水素水を製造可能なポットの実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１８】
以下に、図２〜４を参照しながら、本考案の水素水を製造可能なポットをさらに詳しく説明する。本考案の水素水を製造可能なポットは、以下の部材で構成される。
（Ａ）台座１０
注水空間１１及び給電空間１２を有し、台座１０内には注水空間１１及び給電空間１２を分け隔てるための障壁１３を有する。給電空間１２は第一給電空間１２１及び第二給電空間１２２で構成される。障壁１３には第二給電空間１２２が成形され、且つフィルター穴１３１が開設される。フィルター穴１３１は第二給電空間１２２及び注水空間１１に連通される。本実施形態において、台座１０は中空の円柱状を呈し、給電空間１２が注水空間１１に接続される方向を延出方向Ｘとし、障壁１３が延出方向Ｘに沿って注水空間１１に向けて包囲させることにより第二給電空間１２２が成形される。
障壁１３は複数のフィルター穴１３１に貫設され、カバー１５により第二給電空間１２２が閉鎖される。連通管１５１がカバー１５を貫通させ、連通管１５１は第一給電空間１２１及び第二給電空間１２２に連通される。台座１０には第一給電空間１２１及び台座１０の外部に連通される排気孔１６が穿設される。本実施形態において、注水空間１１には貯水空間１１２が画定されるポット壁１１１が装設され、貯水空間１１２は水を充填させるために用いられると共に第二給電空間１２２に連通される。
（Ｂ）電解ユニット２０
第二給電空間１２２内に順に装設される第一電解板２１と、フィルタフィルム２２と、第二電解板２３とを有する。フィルタフィルム２２により第二給電空間１２２が第一空間１２２Ａ及び第二空間１２２Ｂに分け隔てられ、且つフィルタフィルム２２は不透水である。第一空間１２２Ａはフィルター穴１３１に連通され、第一電解板２１は第一空間１２２Ａ内に納置され、第二電解板２３は第二空間１２２Ｂ内に納置される。
第一電解板２１及び第二電解板２３からは通電棒２４が第一給電空間１２１内までそれぞれ延伸される。本実施形態において、第一電解板２１にある通電棒２４はフィルタフィルム２２、第二電解板２３及びカバー１５を通過させ、第二電解板２３にある通電棒２４はカバー１５に貫設される。排気パイプ２５が連通管１５１及び排気孔１６に連結されることにより第二空間１２２Ｂが台座１０の外部に連通される。
（Ｃ）給電ユニット３０
第一給電空間１２１内に装設され、給電ユニット３０は通電棒２４に電気的に接続される。本実施形態において、給電ユニット３０は第一給電板３１及び第二給電板３２を有し、第一給電板３１は充電部３１１及び送電部３１２を有する。充電部３１１はＵＳＢ充電ポートであり、外部電源の受電に使用される。
第二給電板３２は受電部３２１及び２つの孔部３２２を有し、受電部３２１は送電部３１２に電気的に接続される。送電部３１２は第一給電板３１の電力を受電部３２１に送電させるために用いられ、受電部３２１により電力が孔部３２２に導電される。２つの孔部３２２は第一電解板２１及び第二電解板２３にある通電棒２４にそれぞれ電気的に接続され、且つ電力は各通電棒２４から第一電解板２１及び第二電解板２３に導電される。
【００１９】
以上が本考案の構造形態及びその接続関係である。続いて、本考案の使用方式について説明する。
図４及び図５に示されるように、使用者が本考案に係る水素水を製造可能なポットを使用して水素水を製造する場合、水を貯水空間１１２に注入すると、水が複数のフィルター穴１３１を通過させて第二給電空間１２２の第一空間１２２Ａに進入するが、水はフィルタフィルム２２により阻止されるため第二空間１２２Ｂには進入しない。
使用者は先ず外部電源を第一給電板３１の充電部３１１に電気的に接続させ、電力を充電部３１１から第一給電板３１に送電させて蓄電させると、電力は送電部３１２が受電部３２１に電気的に接続されることにより第二給電板３２に導電される。第一電解板２１及び第二電解板２３の通電棒２４は２つの孔部３２２をそれぞれ通過させると共に接続され、電力が第二給電板３２から第一電解板２１及び第二電解板２３に導電される。
第一電解板２１及び第二電解板２３の間の陽極及び陰極の影響により、第一電解板２１に接触した水がＨ＋及びＯ−に電解される。第一電解板２１により生成されたＨ＋及びＯ−の内のＨ＋はこれら前記フィルター穴１３１から延出方向Ｘに沿って貯水空間１１２内に進入し、貯水空間１１２内の水と結合し、貯水空間１１２内の水が水素水となる。Ｏ−はフィルタフィルム２２を通過させて第二空間１２２Ｂ内に進入し、連通管１５１を通してＯ−が排気パイプ２５から排気孔１６に流されて台座１０の外に排出される。
【００２０】
これにより、使用者は先ず外部電源を使用して第一給電板３１の充電を行い、第一給電板３１に蓄電された電力により電解ユニット２０を起動させ、電解ユニット２０により貯水空間１１２内の水が電解される。
使用者は本考案の水素水を製造可能なポットを携帯して外出できる。外出時には液体の水を充填させるのみで水素水が製造可能である。また、本考案は給電ユニット３０により電力が供給されるため、別途外部電源に接続させる必要が無い。給電ユニット３０の電力が消耗した場合、充電部３１１により電力を補充するのみで電力供給が正常に回復する。
【００２１】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２２】
５０  台座
５１  凹部
５２  制御パネル
５３  導電端
６０  容器
６１  開口部
７０  電解ユニット
８０  上蓋
１０  台座
１１  注水空間
１１１  ポット壁
１１２  貯水空間
１２  給電空間
１２１  第一給電空間
１２２  第二給電空間
１２２Ａ  第一空間
１２２Ｂ  第二空間
１３  障壁
１３１  フィルター穴
１５  カバー
１５１  連通管
１６  排気孔
２０  電解ユニット
２１  第一電解板
２２  フィルタフィルム
２３  第二電解板
２４  通電棒
２５  排気パイプ
３０  給電ユニット
３１  第一給電板
３１１  充電部
３１２  送電部
３２  第二給電板
３２１  受電部
３２２  孔部
Ｘ  延出方向
【図１】
0003212271.tif 000003
【図２】
0003212271.tif 000004
【図３】
0003212271.tif 000005
【図４】
0003212271.tif 000006
【図５】
0003212271.tif 000007